(57)【特許請求の範囲】
【請求項１】
スピーカを内部に収容したスピーカボックスを挿入する壁体の開口が有する対向して位置する少なくとも２つの縁部それぞれに沿い、かつ前記壁体の表面に接して位置する２つの正面部と、前記壁体の裏面側に前記壁体から離れて位置する２つの背面部と、これら２つの正面部と２つの背面部とを前記開口を通して結合する２つの結合部とを有する固定部と、
前記壁体の裏面側に前記各縁部それぞれの長さ方向に沿って配置され、且つ前記壁体に接している２つの被押圧部と、
前記２つの背面部に結合され、前記各被押圧部に接触する押圧具と、
前記固定部に設けられ、前記開口内に前記スピーカボックスの大部分が挿入された状態において前記固定部に前記スピーカボックスを結合する取り付け手段とを、
具備するスピーカボックス取付具。
【請求項２】
請求項１記載のスピーカボックス取付具において、前記各被押圧部は、前記壁体に対して進退可能に前記各結合部に設けられているスピーカボックス取付具。
【請求項３】
請求項１記載のスピーカボックス取付具において、前記各結合部には、前記壁体に対してほぼ垂直に溝が形成され、前記各被押圧部は、前記溝を通過した位置に前記溝の幅よりも幅広の各突起部を有しているスピーカボックス取付具。
【請求項４】
請求項３記載のスピーカボックス取付具において、前記各溝は、前記背面部の近傍に前記突起部の幅に相当する溝拡大部をそれぞれ有し、前記各突起部が前記各溝拡大部に位置するとき、前記各被押圧部は、前記背面部に接触しているスピーカボックス取付具。
【請求項５】
請求項１記載のスピーカボックス取付具において、前記押圧具は、前記各被押圧部の異なる位置に接触させて複数設けられているスピーカボックス取付具。
【請求項６】
請求項１記載のスピーカボックス取付具において、前記２つの結合部の対応する端部が、それぞれ連結部によって結合されているスピーカボックス取付具。
【請求項７】
請求項６記載のスピーカボックス取付具において、前記連結具は、前記壁体の縁部方向の軸回りに回転自在に形成されているスピーカボックス取付具。
【請求項８】
請求項１記載のスピーカボックス取付具において、前記取り付け手段は、前記固定部と別個に形成され、前記正面部に着脱自在に結合されると共に、前記スピーカボックスに着脱自在に取り付けられているスピーカボックス取付具。
【発明の詳細な説明】
【０００１】
【発明の属する技術分野】
本発明は、スピーカボックスの取付具に関し、特に、スピーカボックスを壁や天井の壁体内に埋め込んだ状態で取り付けるものに関する。
【０００２】
【従来の技術】
スピーカには、埋め込み型のものと非埋め込み型のものがある。埋め込み型のスピーカは、壁や天井等の内部にスピーカの大部分を収容して使用するものである。非埋め込み型のスピーカは、スピーカボックス全体を露出させた状態で、壁や天井に取り付けられるものである。
【０００３】
【発明が解決しようとする課題】
非埋め込み型のスピーカでは、特開２０００−２５３４８１号公報の段落番号０００５乃至０００９に開示されているようにスピーカの正面から放音される直接音と、スピーカの背面から放音された音が壁や天井で反射された反射音とが干渉し、特定の周波数でピークディップが生じる可能性がある。そのため、スピーカボックスは壁や天井からかなり離して設けるか、逆に近接して設けることが望ましい。しかし、スピーカボックスが大型のものの場合、スピーカボックスを機械的に保持する部材の強度を考えると、余り壁や天井から離すことはできず、また、スピーカボックスの大きさがあるため、近接させて設置することも困難であり、直接音と反射音との干渉による影響を避けることができない。埋め込み型のスピーカの場合、スピーカの放音面と壁面や天井が近接しており、干渉の影響は可聴周波数より高い周波数で起こるため問題とはならない。しかし、埋め込み型のものは、壁や天井の内部においてスピーカボックスの重量をバネで受ける構成のものや、壁や天井に直接にねじ止めするものが多く、重量のある大型のスピーカボックスを埋め込み型とするのは、困難である。さらに、近年の建築物では、石膏ボード製の壁や天井を使用することがあり、これらは、機械的強度が小さく、大型のスピーカボックスを支持することができず、最悪の場合、壁や天井が破損したり、スピーカが落下する可能性もある。
【０００４】
本発明は、大型のスピーカボックスを天井や壁などに埋め込んだ状態で取り付けることができるスピーカボックス取付具を提供することを目的とする。また、本発明は、更に、機械的強度の小さい壁や天井でも取り付けることができるスピーカボックス取付具を提供することを目的とする。
【０００５】
【課題を解決するための手段】
本発明の一態様のスピーカボックス取付具は、固定部を有している。固定部は、２つの正面部と、背面部と、２つの結合部とを備えている。例えば壁または天井の壁体に開口が形成されており、この開口に、スピーカボックスが挿入される。このスピーカボックス内には、スピーカが収容されている。この開口が有する対向して位置する少なくとも２つの縁部それぞれに沿い、かつ前記壁体の表面に接して、２つの正面部が位置している。前記壁体の裏面側に前記壁体から離れて２つの背面部が位置する。これら２つの正面部と２つの背面部とを前記開口を通して２つの結合部が結合する。前記壁体の裏側に前記各縁部それぞれの長さ方向に沿って２つの被押圧部が配置され、且つ前記壁体に接している。前記２つの背面部に押圧具が結合され、前記各被押圧部に接触する。前記固定部に取り付け手段が設けられ、この取り付け手段は、前記開口内に前記スピーカボックスの大部分が、例えばスピーカボックスの正面のみが壁体の表面側に露出して挿入された状態において、前記固定部に前記スピーカボックスを結合する。
【０００６】
この態様の取付具では、スピーカボックスは、壁体の内部に大部分が収容された状態で取り付けられているので、反射音と直接音との干渉が生じにくい。しかも、開口の少なくとも２つの縁部の表裏を固定部の正面部と被押圧部とで挟み、固定部の背面部に結合された押圧具が被押圧部を壁体側に押圧している。取り付け手段を介してスピーカボックスが固定部に取り付けられていると、スピーカボックスの重量が結合部から背面部に伝達され、さらに、押圧具を介して被押圧部に印加される。被押圧部は、開口の縁部の長さに沿って配置されているので、即ち、その面積が広いので、スピーカボックスの重量が壁体の一点に集中せず、被押圧部全域を介して、壁体に分散されて印加される。その結果、重量が重い被埋め込み型のスピーカであっても、壁体を損傷すること無く取り付けることができる。特に、石膏ボードのような機械的強度の小さい壁体であっても、破損することはない。
【０００７】
この一態様において、前記各被押圧部を、前記壁体に対して進退可能に前記各結合部に設けることができる。
【０００８】
このように構成した場合、スピーカボックスを取り付ける厚さが異なる壁体に対しても、この取付具を使用することによって、スピーカボックスを取り付けることができる。
【０００９】
或いは、上記の一態様において、前記各結合部に、前記壁体に対してほぼ垂直に溝を形成することができる。溝は１つの結合に対して複数または単数設けることが可能である。更に、前記各被押圧部に形成された各突起部が、前記各溝に係合している。その係合は、各突起部の幅を前記溝の幅よりも幅広とすることによって行える。
【００１０】
このように構成した場合、被押圧部は、溝に係合されているので、結合部から離脱することがなく、被押圧部を壁体の裏面に取り付ける作業を容易に行うことができるし、この取付具を運搬中に被押圧部が結合部から離脱して紛失することも防止できる。
【００１１】
この構成に加えて、前記背面部の近傍の溝の部分に、前記各突起部の幅に相当する溝拡大部を形成することもできる。この場合、前記突起部が前記溝拡大部に位置するとき、前記各被押圧部は、前記背面部に接触している。
【００１２】
このように構成した場合、被押圧部を背面部に接触させると、自動的に係合部が溝拡大部に位置するので、被押圧部を背面部に接触させて、溝拡大部に特許を挿入した後、正面部側に被押圧部を摺動することによって、容易に溝に被押圧部を係合することができ、被押圧部の結合への取り付け作業が容易になる。
【００１３】
上記一態様のスピーカボックス取付具において、前記押圧具を、前記各被押圧部の異なる位置に接触させて複数設けることができる。例えば、開口の縁部に沿って間隔をおいて複数の押圧具を被押圧部に接触させた状態に設けることができる。
【００１４】
このように構成した場合、被押圧部の面積が広い上に、その被押圧部の異なる位置に複数の押圧具が接触しているので、スピーカボックスの重量が複数の押圧具を介して分散して被押圧部に印加される。従って、機械的強度の小さい壁体の場合であっても、益々、破損の可能性が少ない。
【００１５】
上記一態様のスピーカボックス取付具において、前記２つの結合部の対応する端部を、それぞれ連結部によって結合することができる。
【００１６】
このように構成された場合、２つの固定部の間隔は、連結部によって一定に保持される。例えば開口の精度が悪く、スピーカボックスを取り付けるために必要な間隔よりも実際の２つの縁部間の間隔が広くても、２つの固定部の間隔は一定であるので、固定部を縁部にさえ取り付けれれば、スピーカボックスを確実に取付具によって壁体に取り付けられる。
【００１７】
更に、前記連結部を、前記縁部にほぼ平行な軸回りに回転自在に結合することができる。
【００１８】
この場合、２つの固定部が連結部によって結合されていても、固定部が回転自在であるので、開口の縁部に固定部を容易に取り付けることができる。なお、さらに、前記連結具を、前記壁体の表裏方向にも移動可能に形成すると、固定部を開口の縁部に更に容易に取り付けることができる。
【００１９】
上記の一態様のスピーカボックス取付具において、前記取り付け手段を、前記固定部と別個に形成することができる。この場合、取り付け手段は、前記正面部に着脱自在に結合されると共に、前記スピーカボックスに着脱自在に取り付けられる。
【００２０】
このように構成すると、取り付け手段が固定部と別個であるので、特定のスピーカボックス以外のスピーカボックスでも、この取付具によって開口に取り付けることができる。
【００２１】
【発明の実施の形態】
本発明の１実施形態のスピーカ取付具は、図１に示すような壁の壁体２に形成された開口４に、図１に仮想線で示す非埋め込み型のスピーカボックス６を取り付けるためのものである。
【００２２】
壁体２は、例えば石膏ボードで構成され、機械的強度が比較的に小さいものである。開口４は、図２に仮想線で示すように概略矩形、例えば縦長の矩形に形成され、互いに平行な上縁及び下縁と、互いに平行で上縁及び下縁と直交する側縁とを備えている。スピーカボックス６は、内部にスピーカ（図示せず）を有し、本来、壁体の外部に全体を露出させて取り付けられるものである。しかし、その正面部分が壁体２の表面側に露出した状態で、開口４を介して壁体２の内部に収容されている。
【００２３】
スピーカ取付具は、開口４の上縁と下縁との表面に接触して、正面部１０ａ、１０ｂを有している。これら正面部１０ａ、１０ｂは、図２に示すように、上縁と下縁それぞれの長さ寸法にほぼ等しい、例えば若干短い長さ寸法を有している矩形のものである。正面部１０ａ、１０ｂの外方端部、即ち正面部１０ａの上端及び正面部１０ｂの下端から、正面部１０ａ、１０ｂと直角に、これらと一体に矩形の取付部１２ａ、１２ｂが、壁体２から離れる方向に形成されている。これら取付部１２ａ、１２ｂも、正面部１０ａ、１０ｂと同一の長さ寸法を有している。
【００２４】
これら取付部１２ａ、１２ｂの内方面、即ち取付部１２ａの下面と取付部１２ｂの上面には、取付部１２ａ、１２ｂとは別個に形成された取り付け手段、例えば矩形の板状体１４ａ、１４ｂが配置されている。板状体１４ａ、１４ｂの基端部は、取付部１２ａ、１２ｂを貫通したボルト１６ａ、１６ｂによって取付部１２ａ、１２ｂに着脱自在に結合されている。さらに、板状体１４ａ、１４ｂの先端部は、スピーカボックス６の正面部の上面及び下面にそれぞれ接触し、ボルト１８ａ、１８ｂによってスピーカボックス６に結合されている。
【００２５】
壁体２の裏面側に、背面部２０ａ、２０ｂが壁体２から離れて配置されている。これら背面部２０ａ、２０ｂも矩形に形成され、正面部１０ａ、１０ｂと対向するように、背面部２０ａは、開口４の上縁の長さ方向に沿って、背面部２０ｂは、開口４の下縁の長さ方向に沿って配置されている。背面部２０ａ、２０ｂも、図３に示すように正面部１０ａ、１０ｂと同じ長さ寸法を有している。
【００２６】
背面部２０ａ、２０ｂの内方端部と正面部１０ａ、１０ｂの内方端部とを、結合部２２ａ、２２ｂが結合している。結合部２２ａ、２２ｂは矩形に形成されている。結合部２２ａは、正面部１０ａの下端部と背面部２０ａの下端部とを、これらに対して直角に位置するように、これらと一体に形成されている。同様に、結合部２２ｂは、正面部１０ｂの上端部と背面部２２ｂの上端部とを、これらと直角に位置するように、これらと一体に形成されている。結合部２２ａは、その上面が開口４の上縁に接触するように配置され、結合部２２ｂは、その下面が開口４の下縁に接触するように配置されている。
【００２７】
正面部１０ａ、１０ｂと対向するように、開口４の裏面には被押圧部２４ａ、２４ｂが配置されている。被押圧部２４ａは、開口４の上縁の長さ方向に沿って配置された矩形のもので、同じく被押圧部２４ｂも、開口４の下縁の長さ方向に沿って配置された矩形のものである。これらは、いずれも正面部１０ａ、１０ｂとほぼ同一の長さ寸法を有している。被押圧部２４ａの上端には、背面部２０ａ側を向いて被押圧部２４ａと直交するように接触部２６ａが被押圧部２４ａと一体に形成され、被押圧部２４ｂの下端には、背面部２０ｂ側を向いて被押圧部２４ｂと直交するように接触部２６ｂが被押圧部２４ｂと一体に形成されている。
【００２８】
結合部２４ａ、２４ｂには、図３に示すように正面部１０ａ、１０ｂ、背面部２０ａ、２０ｂと直交するように、上縁及び下縁の長さ方向に間隔をおいて複数、例えば２つの案内溝２８ａ、２８ａ、２８ｂ、２８ｂが、結合部２２ａ、２２ｂの厚さ方向に貫通して形成されている。被押圧部２４ａの下端部の各案内溝２８ａ、２８ａに対応する位置にある部分は、案内溝２８ａ、２８ａを通過して、開口４側に突出しており、その突出端には、図２に示すように、これら案内溝２８ａ、２８ａよりも幅広の矩形状の突起部３０ａ、３０ａが一体に形成されている。同様に被押圧部２４ｂの上端部の各案内溝２８ｂ、２８ｂに対応する位置の部分は、案内溝２８ｂ、２８ｂを通過して、開口４側に突出し、図２に示すように、突出端には、これら案内溝２８ｂ、２８ｂよりも幅広の矩形状の突起部３０ｂ、３０ｂが一体に形成されている。
【００２９】
従って、これら突起部３０ａ、３０ｂによって被押圧部２４ａ、２４ｂは、結合部２２ａ、２２ｂに係合されており、被押圧部２４ａ、２４ｂは、案内溝２８ａ、２８ｂから離脱することがない。しかも、案内溝２８ａ、２８ｂに沿って即ち壁体２に対して、被押圧部２４ａ、２４ｂは進退可能であるので、厚さが異なる壁体２に対しても正面部１０ａ、１０ｂと対向した状態で、壁体２の裏面に接触させることができる。
【００３０】
図４に示すように、接触部２６ａ、２６ｂの先端が背面部２０ａ、２０ｂに接触した状態において、突起部３０ａ、３０ｂが位置する案内溝２８ａ、２８ｂの位置には、図３に示すように、突起部３０ａ、３０ｂが離脱可能な拡大部３２ａ、３２ｂが形成されている。従って、接触部２６ａ、２６ｂを背面部２０ａ、２０ｂに接触させることによって、被押圧部２４ａ、２４ｂが拡大部３２ａ、３２ｂに位置するので、被押圧部２４ａ、２４ｂの案内溝２８ａ、２８ｂへの取り付け、取り外しを容易に行うことができる。なお、図４では拡大部３２ａを誇張して描いてある。
【００３１】
背面部２０ａ、２０ｂには、押圧具、例えば複数の蝶ねじ３４ａ、３４ｂがそれぞれ螺合している。これら蝶ねじ３４ａ、３４ｂは、例えば図３に示すように、背面部２０ａ、２０ｂの長さ方向に間隔をおいて配置されている。これらの先端部が被押圧部２４ａ、２４ｂを壁体２の裏面に押圧している。正面部１０ａ、１０ｂ、背面部２０ａ、２０ｂ、結合部２２ａ、２２ｂが、２つの固定部を構成している。
【００３２】
スピーカボックス６の重量は、板状体１４ａ、１４ｂ、正面部１０ａ、１０ｂ、結合部２２ａ、２２ｂ、背面部２０ａ、２０ｂ、蝶ねじ３４ａ、３４ｂを介して被押圧部２６ａ、２６ｂに印加される。しかし、被押圧部２４ａ、２４ｂが開口４の長手縁に沿って配置された矩形状に形成されており、しかも、蝶ねじ３４ａ、３４ｂは、それぞれ間隔をおいて配置されているので、壁体２の一点にスピーカボックス６の重量が集中することがない。従って、壁体２が損傷することがない。なお、蝶ねじ３４ａ、３４ｂがそれぞれ１個ずつ設けられている場合でも、被押圧部２４ａ、２４ｂを上述したように構成していると、やはりスピーカボックス６の重量が一点に集中しないので、壁体２が損傷しにくい。
【００３３】
結合部２２ａの両側には、図２に示すように開口４内に位置し、かつ開口４の内側に向かうように、突出部３６ａ、３６ａが、結合部２２ａと一体に形成されている。同様に結合部２２ｂの両側にも、開口４内に位置し、かつ開口４の内側に向かうように、突出部３６ｂ、３６ｂが形成されている。突出部３６ａ、３６ａと突出部３６ｂ、３６ｂとが、連結部３８、３８によって結合されている。連結部３８、３８は、長尺の板状体に形成されており、２つの固定部の間隔を予め定めた間隔に維持している。
【００３４】
例えば開口４の寸法精度が低く、上縁と下縁との間隔が予め定めた距離に形成されて無い場合に、図１に示すように結合部２２ａ、２２ｂを上縁に接触させた状態に壁体２に取り付けると、板状体１４ａ、１４ｂの間隔がスピーカボックス６を取り付けるために必要な間隔よりも広がり、スピーカボックス６を板状体１４ａ、１４ｂに取り付けられない可能性がある。しかし、連結部３８、３８によって２つの固定部を結合していると、たとえ結合部２２ａ、２２ｂが開口４の上縁及び下縁と接触していなくても、固定部の間隔は予め定めた間隔に維持することができ、スピーカボックス６を板状体１４ａ、１４ｂに取り付けることができる。
【００３５】
連結部３８、３８は、突出部３６ａ、３６ａ、３６ｂ、３６ｂに対して上縁及び下縁の長さ方向に沿う軸の回りに回転自在に、例えばリンクピン４０と長孔４２とによって結合され、さらに長孔４２を壁体２の表裏方向に形成することによって、壁体２の表裏方向に固定部をそれぞれスライド可能である。
【００３６】
２つの固定部と連結部３８、３８とは、その上下方向への移動が不可能に結合されているので、両者を回転自在に結合していなければ、背面部２０ａ、２０ｂを壁体２の裏面側に配置することができない。しかし、２つの固定部と連結部３８、３８を回転自在に結合しているので、背面部２０ａ、２０ｂを壁体２の裏面側に配置することができ、２つの固定部を開口の上縁及び下縁に取り付けることができる。
【００３７】
このように構成されたスピーカ取付具では、結合部２２ａ、２２ｂに被押圧部２６ａ、２６ｂを係合させた状態で、背面部２０ａ、２０ｂが壁体２の裏側に位置するように、開口４を介して固定部を配置する。この状態で正面部１０ａ、１０ｂが壁体２の上縁及び下縁に沿って位置するように正面部１０ａ、１０ｂを壁体２の表面に接触させる。
【００３８】
次に、蝶ねじ３４ａ、３４ｂが被押圧部２６ａ、２６ｂ側に進行するように回転させる。これによって、蝶ねじ３４ａ、３４ｂの先端が被押圧部２６ａ、２６ｂを押圧して、被押圧部２６ａ、２６ｂが壁体２の上縁及び下縁に沿った状態で壁体２の裏面に接触させる。さらに、蝶ねじ３４ａ、３４ｂを回転させることによって、被押圧部２４ａ、２４ｂを強固に壁体２に接触させる。これによって、固定部が壁体２に固定される。
【００３９】
板状体１４ａ、１４ｂを取付部１２ａ、１２ｂにボルト１６ａ、１６ｂによって結合する。板状体１４ａ、１４ｂは、固定部を壁体２に取り付ける前に、取付部１２ａ、１２ｂに取り付けておいてもよい。この状態で、開口４からスピーカボックス６を壁体２の裏側に収容する。さらに、ボルト１８ａ、１８ｂによってスピーカボックス６を板状体１４ａ、１４ｂに取り付ける。これによって、スピーカボックス６をその大部分が壁体２内に収容された状態で取り付けることができる。
【００４０】
なお、板状体１４ａ、１４ｂが取付部１２ａ、１２ｂとは別個に形成されているので、スピーカボックス６以外のスピーカボックスで、例えばボルト１８ａ、１８ｂが螺合するねじ孔の位置が、図１におけるボルト１８ａ、１８ｂに対応する位置よりも壁体２側に近づいた位置または離れた位置にあるようなスピーカボックスであっても、板状体１４ａ、１４ｂを、そのようなスピーカボックスに対応するものに変更することによって取り付けることができる。
【００４１】
上記の実施の形態では、壁の壁体２にスピーカボックス６を取り付けるために、スピーカ取付具を使用したが、天井を構成する壁体に形成した開口内にスピーカボックス６を取り付けることもできる。また、上記の実施の形態では、被押圧部２６ａ、２６ｂを結合部２２ａ、２２ｂに係合したが、被押圧部２６ａ、２６ｂの紛失等のおそれが無い場合には、結合部２２ａ、２２ｂに係合する必要はない。また、２つの固定部は、連結部３８、３８によって連結したが、開口４を精度よく形成することができる場合には、連結部３８、３８を除去してもよい。また、上記の実施の形態では、１つの固定部に対して３つの蝶ねじ３４ａ、３４ｂを設けたが、少なくとも１つの固定部に対して１つの蝶ねじを設けてもよい。また、上記の実施の形態では、背面部２０ａ、２０ｂは、結合部２２ａ、２２ｂの内方端部に設けたが、結合部２２ａ、２２ｂの中途に設けてもよい。上記の実施の形態では、貫通溝を１つの結合部に複数設けたが、１つだけ設けてもよい。また、上記の実施の形態では、板状体１４ａ、１４ｂを取付部１２ａ、１２ｂに結合したが、取付部１２ａ、１２ｂを除去し、結合部２２ａ、２２ｂに板状体１４ａ、１４ｂを取り付けてもよい。また、上記の実施の形態では、開口４の上縁及び下縁に固定部を取り付けたが、開口４の両側縁に固定部を取り付けてもよい。
【００４２】
【発明の効果】
以上のように本発明によるスピーカ取付具では、スピーカボックスを壁体内に埋め込んだ状態に取り付けることができるので、直接音と反射音との干渉が生じることを防止することができる。特に、押圧具によって押圧される被押圧部を開口の側縁に沿って設けることによって接触面積を大きくしているので、壁体の機械的強度が小さい場合でも、壁体の損傷を防止することができる。また、被押圧部を結合部に進退可能に設ければ、スピーカボックスを取り付ける壁体の厚さが、壁体によって異なる場合でも、スピーカボックスを取り付けることができる。さらに、被押圧部の突起部を結合部に設けた溝に係合しておけば、被押圧部が進退可能である上に、被押圧部を運搬の途中などに紛失することを防止できる。各溝に背面部の近傍に突起部の幅に相当する溝拡大部を形成し、各突起部が溝拡大部に位置するとき、各被押圧部を背面部に接触させれば、溝への被押圧部の取り付けを容易に行うことができる。複数の押圧具を被押圧部の異なる位置に接触させて設ければ、被押圧部を介して壁体に印加される力を分散させることができ、壁体の機械的強度が小さい場合に更に壁体の損傷を防止できる。２つの結合部の対応する端部を連結部によって結合すれば、２つの固定部の間隔を予め定めた間隔に維持することができ、開口を形成する際に、精度を厳密に要求する必要がない。さらに、連結具を壁体の縁部方向の軸回りに回転自在に形成すれば、２つの固定部が連結部によって結合されていても、容易に開口に固定部を取り付けることができる。取り付け手段を記固定部と別個に形成し、正面部に着脱自在に結合し、かつスピーカボックスにも着脱自在に取り付けたなら、取り付け手段を交換することによって大きさの異なるスピーカボックスであっても壁体に取り付けることができる。
【図面の簡単な説明】
【図１】本発明の１実施形態のスピーカ取付具によってスピーカボックスを壁体に取り付けた状態の縦断側面図である。
【図２】図１のスピーカ取付具の正面図である。
【図３】図１のスピーカ取付具の平面図である。
【図４】図１のスピーカ取付具の部分省略拡大縦断側面図である。
【符号の説明】
２  壁体
４  開口
６  スピーカボックス
１０ａ  １０ｂ  正面部
１４ａ  １４ｂ  平板状部（取り付け手段）
２０ａ  ２０ｂ  背面部
２２ａ  ２２ｂ  結合部
２４ａ  ２４ｂ  被押圧部
２８ａ  ２８ｂ  貫通溝
３０ａ  ３０ｂ  突起部
３２ａ  ３２ｂ  拡大部
３４ａ  ３４ｂ  蝶ねじ（押圧具）
３８  連結部
【図１】
0004004738.tif 000002
【図２】
0004004738.tif 000003
【図３】
0004004738.tif 000004
【図４】
0004004738.tif 000005